(57)【要約】ペン先没入状態においてもクリップを有するノック部材が軸筒に対して回転することを確実に防止できるノック式筆記具を提供する。クリップ９１を有するノック部材９と、ノック部材９を前方に押圧することにより筆記体３のペン先３１を軸筒２前端より出没自在にする出没機構を備える。出没機構が、軸筒２内面に形成された複数のカム歯６１及びカム溝６２と、カム歯６１またはカム溝６２に交互に係合可能な複数の突条７５を有する回転部材７と、ノック部材９に連結され、回転部材７を回動させる複数のカム突起８３を有するとともに軸筒２内面のカム溝６２に前後動自在に係合される複数の係合突起８４を有するカム部材８と、筆記体３を後方に付勢する弾発体１０とを備える。ノック部材９とカム部材８とが回り止め係合されてなる。
2017104468.tif 000002
【特許請求の範囲】
【請求項１】
軸筒と、
前記軸筒内に前後方向に移動可能に収容された筆記体と、
前記軸筒の後端部に設けられ且つクリップを有するノック部材と、
前記ノック部材を前方に押圧することにより前記筆記体のペン先を軸筒前端より出没自在にする出没機構と、を備え、
前記出没機構が、
前記軸筒内面に形成され、円周方向に沿って交互に配置された前後方向に延びる複数のカム歯及びカム溝と、
前記筆記体の後方に回転可能に配置され、前記カム歯または前記カム溝に交互に係合可能な複数の突条を有する回転部材と、
前記ノック部材に連結され、前記回転部材を回動させる複数のカム突起を有するとともに前記軸筒内面のカム溝に前後動自在に係合される複数の係合突起を有するカム部材と、
前記筆記体を後方に付勢する弾発体と、を備えたノック式筆記具であって、
前記ノック部材と前記カム部材とが回り止め係合されてなるノック式筆記具。
【請求項２】
前記ノック部材が、前記軸筒の後端開口部内に挿入される筒状部を備え、前記カム部材が、前記筒状部の内部に挿入される挿入部を備え、前記筒状部の内壁と前記挿入部の外壁とが回り止め係合されてなる請求項１に記載のノック式筆記具。
【請求項３】
前記筒状部の内面に前後方向に延びる複数の凹部が形成され、前記挿入部の外面に、前記凹部に係合可能な複数の凸部が形成され、前記凹部と前記凸部との係合により前記ノック部材と前記カム部材とが回り止め係合されてなる請求項２に記載のノック式筆記具。
【請求項４】
前記カム溝と前記係合突起との回転方向のあそび量が、前記凹部と前記凸部との回転方向のあそび量より大きく設定される請求項３に記載のノック式筆記具。
【請求項５】
ペン先没入状態において前記係合突起を前後方向に係止する係止壁部が、前記カム溝の後端に形成され、前記軸筒内面の前記カム溝の後方に、前記カム溝に連通する前後方向に延びるガイド溝が形成され、前記ノック部材の筒状部の外面にガイド突起が形成され、ペン先没入状態において前記ガイド突起が前記ガイド溝に係合され、ペン先突出状態において前記ガイド突起が前記カム溝に係合される請求項１乃至４の何れかに記載のノック式筆記具。
【請求項６】
前記ノック部材が、前記クリップと、前記クリップの後部に一体に連設されたクリップ基部と、前記クリップ基部と一体に連設された筒状部とを備え、前記軸筒の後端部の側壁に、前後方向に延設され且つ軸筒後端より後方に開放されるスライド孔が形成され、ペン先突出状態において前記クリップ基部前端部が前記スライド孔内に挿入され、ペン先没入状態において前記クリップ基部前端部が前記スライド孔より後方に位置してなる請求項１乃至５の何れかに記載のノック式筆記具。
【請求項７】
前記筒状部の内面に前後方向に延びる複数の凸部が形成され、前記挿入部の外面に、前記凸部に係合可能な複数の凹部が形成され、前記凸部と前記凹部との係合により前記ノック部材と前記カム部材とが回り止め係合されてなる請求項２に記載のノック式筆記具。
【請求項８】
前記カム溝と前記係合突起との回転方向のあそび量が、前記凸部と前記凹部との回転方向のあそび量より大きく設定される請求項７に記載のノック式筆記具。
【請求項９】
ペン先没入状態において前記係合突起を前後方向に係止する係止壁部が、前記カム溝の後端に形成され、前記軸筒内面の前記カム溝の後方に、前記カム溝に連通する前後方向に延びるガイド溝が形成され、前記ノック部材の筒状部の外面にガイド突起が形成され、ペン先没入状態において前記ガイド突起が前記ガイド溝に係合され、ペン先突出状態において前記ガイド突起が前記カム溝に係合される請求項７または８の何れかに記載のノック式筆記具。
【請求項１０】
前記ノック部材が、前記クリップと、前記クリップの後部に一体に連設されたクリップ基部と、前記クリップ基部と一体に連設された前記筒状部とを備え、前記軸筒の後端部の側壁に、前後方向に延設され且つ軸筒後端より後方に開放されるスライド孔が形成され、ペン先突出状態において前記クリップ基部前端部が前記スライド孔内に挿入され、ペン先没入状態において前記クリップ基部前端部が前記スライド孔より後方に位置してなる請求項７乃至９の何れかに記載のノック式筆記具。
【請求項１１】
前記カム部材が筒状部を備え、前記ノック部材が前記カム部材の筒状部内に挿入される挿入部を備え、前記筒状部の内壁と前記挿入部の外壁とが回り止め係合されてなる請求項１に記載のノック式筆記具。
【請求項１２】
前記筒状部の内面に前後方向に延びる複数の凹部が形成され、前記挿入部の外面に、前記凹部に係合可能な複数の凸部が形成され、前記凹部と前記凸部との係合により前記ノック部材と前記カム部材とが回り止め係合されてなる請求項１１に記載のノック式筆記具。
【請求項１３】
前記カム溝と前記係合突起との回転方向のあそび量が、前記凹部と前記凸部との回転方向のあそび量より大きく設定される請求項１２に記載のノック式筆記具。
【請求項１４】
前記ノック部材が、前記クリップと、前記クリップの後部に一体に連設されたクリップ基部と、前記クリップ基部と一体に連設された前記挿入部とを備え、前記軸筒の後端部の側壁に、前後方向に延設され且つ軸筒後端より後方に開放されるスライド孔が形成され、ペン先突出状態において前記クリップ基部前端部が前記スライド孔内に挿入され、ペン先没入状態において前記クリップ基部前端部が前記スライド孔より後方に位置してなる請求項１１乃至１３の何れかに記載のノック式筆記具。
【請求項１５】
前記筒状部の内面に前後方向に延びる複数の凸部が形成され、前記挿入部の外面に、前記凸部に係合可能な複数の凹部が形成され、前記凸部と前記凹部との係合により前記ノック部材と前記カム部材とが回り止め係合されてなる請求項１１に記載のノック式筆記具。
【請求項１６】
前記カム溝と前記係合突起との回転方向のあそび量が、前記凸部と前記凹部との回転方向のあそび量より大きく設定される請求項１５に記載のノック式筆記具。
【請求項１７】
前記ノック部材が、前記クリップと、前記クリップの後部に一体に連設されたクリップ基部と、前記クリップ基部と一体に連設された前記挿入部とを備え、前記軸筒の後端部の側壁に、前後方向に延設され且つ軸筒後端より後方に開放されるスライド孔が形成され、ペン先突出状態において前記クリップ基部前端部が前記スライド孔内に挿入され、ペン先没入状態において前記クリップ基部前端部が前記スライド孔より後方に位置してなる請求項１５または１６の何れかに記載のノック式筆記具。
【請求項１８】
軸筒と、
前記軸筒内に前後方向に移動可能に収容された筆記体と、
前記軸筒の後端部に設けられたノック部材と、
前記ノック部材を前方に押圧することにより前記筆記体のペン先を軸筒前端より出没自在にする出没機構と、を備え、
前記出没機構が、
前記軸筒内面に形成され、円周方向に沿って交互に配置された前後方向に延びる複数のカム歯及びカム溝と、
前記筆記体の後方に回転可能に配置され、前記カム歯または前記カム溝に交互に係合可能な複数の突条を有する回転部材と、
前記ノック部材に連結され、前記回転部材を回動させる複数のカム突起を有するとともに前記軸筒内面のカム溝に前後動自在に係合される複数の係合突起を有するカム部材と、
前記筆記体を後方に付勢する弾発体と、を備えたノック式筆記具であって、
前記ノック部材と前記カム部材とが回り止め係合されてなるノック式筆記具。
【請求項１９】
軸筒と、
前記軸筒内に前後方向に移動可能に収容された筆記体と、
前記軸筒の後端部に設けられ且つ外面に径方向外方に突出する突出部を有するノック部材と、
前記ノック部材を前方に押圧することにより前記筆記体のペン先を軸筒前端より出没自在にする出没機構と、を備え、
前記出没機構が、
前記軸筒内面に形成され、円周方向に沿って交互に配置された前後方向に延びる複数のカム歯及びカム溝と、
前記筆記体の後方に回転可能に配置され、前記カム歯または前記カム溝に交互に係合可能な複数の突条を有する回転部材と、
前記ノック部材に連結され、前記回転部材を回動させる複数のカム突起を有するとともに前記軸筒内面のカム溝に前後動自在に係合される複数の係合突起を有するカム部材と、
前記筆記体を後方に付勢する弾発体と、を備えたノック式筆記具であって、
前記ノック部材と前記カム部材とが回り止め係合されてなるノック式筆記具。
【発明の詳細な説明】
【技術分野】
【０００１】
本発明は、ノック式筆記具に関する。詳細には、クリップを有するノック部材を前方に押圧することにより筆記体のペン先を軸筒前端より出没自在にする出没機構を備えたノック式筆記具に関する。
【背景技術】
【０００２】
従来、この種の筆記具において、例えば、特許文献１には、軸筒内に摺動可能に設けられた筆記体と、この筆記体を後方から摺動せしめる作動手段と、この作動手段を筆記具の後端外方から操作するクリップ付きノック部材とから構成されてなる筆記具において、このノック部材の筒状本体外壁と上記軸筒内壁とに軸筒に関してノック部材の回り止め手段を設けてなることを特徴とする筆記具のクリップ付きノック部材の回り止め構造が開示されている。
さらに、特許文献１には、回り止め手段が、軸筒後端内壁の係止溝とノック部材の外壁の係止突部とからなる構成、または軸筒後端内壁の係止突部とノック部材の外壁の係止溝とからなる構成が開示されている。
【先行技術文献】
【特許文献】
【０００３】
【特許文献１】特開２００６−２１４３０号公報
【発明の概要】
【発明が解決しようとする課題】
【０００４】
特許文献１の筆記具は、ペン先没入状態において係止突部（係止リブ）と係止溝との前後方向の係合量が小さくなるため、軸筒に対するノック部材の回り止め機能が低下し、ペン先没入状態（即ち、非筆記状態）において、クリップに対して不用意に回転方向の力が加わると、係止突起（係止リブ）と係止溝との係合状態が解除され、ノック部材が回転するおそれがある。【０００５】
本発明はこの従来の問題点を解決するものであって、ペン先没入状態においてもクリップを有するノック部材が軸筒に対して回転することを確実に防止できるノック式筆記具を提供しようとするものである。【０００６】
尚、本発明において、「前」とはペン先側を指し、「後」とはその反対側を指す。本発明において、ペン先突出状態とは、ペン先が軸筒前端より外部に突出した状態を指し、ペン先没入状態とは、ペン先が軸筒内に没入した状態を指す。
【課題を解決するための手段】
【０００７】
本発明の第１の実施態様に係るノック式筆記具１は、軸筒２と、前記軸筒２内に前後方向に移動可能に収容された筆記体３と、前記軸筒２の後端部に設けられ且つクリップ９１を有するノック部材９と、前記ノック部材９を前方に押圧することにより前記筆記体３のペン先３１を軸筒２前端より出没自在にする出没機構と、を備え、前記出没機構が、前記軸筒２内面に形成され、円周方向に沿って交互に配置された前後方向に延びる複数のカム歯６１及びカム溝６２と、前記筆記体３の後方に回転可能に配置され、前記カム歯６１または前記カム溝６２に交互に係合可能な複数の突条７５を有する回転部材７と、前記ノック部材９に連結され、前記回転部材７を回動させる複数のカム突起８３を有するとともに前記軸筒２内面のカム溝６２に前後動自在に係合される複数の係合突起８４を有するカム部材８と、前記筆記体３を後方に付勢する弾発体１０と、を備えたノック式筆記具であって、前記ノック部材９と前記カム部材８とが回り止め係合されてなる。【０００８】
以上のように、第１の実施態様に係るノック式筆記具１は、常時、カム部材８の係合突起８４と軸筒２内面のカム溝６２とが係合されるとともにノック部材９とカム部材８とが回り止め係合されてなることにより、ペン先没入状態においてもクリップ９１を備えたノック部材９と軸筒２との確実な回転防止がなされる。本発明のノック部材９のクリップ９１は、軸筒２の外面より径方向外方に突出され、軸筒２外面との間でポケット等の被挟持物を挟持する機能を有するものである。本実施態様に係る回り止め係合は、ノック部材９とカム部材８とが互いに回転することを阻止する係合構造であればよく、例えば、ノック部材９の前端壁とカム部材８の後端壁が係合される構造、ノック部材９とカム部材８の両部材の側壁同士が内側と外側で係合する構造、または、ノック部材９の前端壁とカム部材８の後端壁とが係合し且つノック部材９とカム部材８の両部材の側壁同士が内側と外側で係合する構造等が挙げられる。【０００９】
本発明の第２の実施態様に係るノック式筆記具１は、第１の実施態様において、前記ノック部材９が、前記軸筒２の後端開口部内に挿入される筒状部９３を備え、前記カム部材８が、前記筒状部９３の内部に挿入される挿入部８２を備え、前記筒状部９３の内壁と前記挿入部８２の外壁とが回り止め係合されてなる。【００１０】
第２の実施態様に係るノック式筆記具１は、上記構成を採用することにより、ノック部材９とカム部材８との確実な回転防止構造を得る。【００１１】
本発明の第３の実施態様に係るノック式筆記具１は、第２の実施態様において、前記筒状部９３の内面に前後方向に延びる複数の凹部９３ｂが形成され、前記挿入部８２の外面に、前記凹部９３ｂに係合可能な複数の凸部８５が形成され、前記凹部９３ｂと前記凸部８５との係合により前記ノック部材９と前記カム部材８とが回り止め係合されてなる。【００１２】
第３の実施態様に係るノック式筆記具１は、上記構成を採用することにより、ノック部材９とカム部材８との一層確実な回転防止構造を得る。【００１３】
本発明の第４の実施態様に係るノック式筆記具１は、第３の実施態様において、前記カム溝６２と前記係合突起８４との回転方向のあそび量が、前記凹部９３ｂと前記凸部８５との回転方向のあそび量より大きく設定される。【００１４】
第４の実施態様に係るノック式筆記具１は、上記構成を採用することにより、ノック部材９内面の凹部９３ｂとカム部材８外面の凸部８５の係合に回転方向の位置ずれが生じても、軸筒２内面のカム溝６２とカム部材８外面の係合突起８４とが適正に係合され、カム溝６２と係合突起８４との摺動不良の発生を抑えることができる。【００１５】
本発明の第５の実施態様に係るノック式筆記具１は、第１乃至第４の何れかの実施態様において、ペン先没入状態において前記係合突起８４を前後方向に係止する係止壁部６３が、前記カム溝６２の後端に形成され、前記軸筒２内面の前記カム溝６２の後方に、前記カム溝６２に連通する前後方向に延びるガイド溝６５が形成され、前記ノック部材９の筒状部９３の外面にガイド突起９３ａが形成され、ペン先没入状態において前記ガイド突起９３ａが前記ガイド溝６５に係合され、ペン先突出状態において前記ガイド突起９３ａが前記カム溝６２に係合される。【００１６】
第５の実施態様に係るノック式筆記具１は、上記構成を採用することにより、ペン先没入状態においてガイド溝６５とガイド突起９３ａとの係合により、ノック部材９の回転が一層防止される。また、前記第５の発明のノック式筆記具１は、前記形態を採用することにより、ノック部材９のノックストロークに対応した長さのガイド溝６５を形成する必要がなく、カム溝６２後方の軸筒２の長手寸法を短く設定でき、その結果、ノック部材９及び軸筒２のデザインの自由度が増加する。【００１７】
本発明の第６の実施態様に係るノック式筆記具１は、第１乃至第５の何れかの実施態様において、前記ノック部材９が、前記クリップ９１と、前記クリップ９１の後部に一体に連設されたクリップ基部９２と、前記クリップ基部９２と一体に連設された筒状部９３とを備え、前記軸筒２の後端部の側壁に、前後方向に延設され且つ軸筒２後端より後方に開放されるスライド孔６４が形成され、ペン先突出状態において前記クリップ基部９２前端部が前記スライド孔６４内に挿入され、ペン先没入状態において前記クリップ基部９２前端部が前記スライド孔６４より後方に位置してなる。【００１８】
第６の実施態様に係るノック式筆記具１は、上記構成を採用することにより、クリップ基部９２の長手方向の長さを十分な長さに設定でき、クリップ９１の耐久性を向上させることができる。【００１９】
本発明の第７の実施態様に係るノック式筆記具１は、第２の実施態様において、前記筒状部９３の内面に前後方向に延びる複数の凸部９３ｅが形成され、前記挿入部８２の外面に、前記凸部９３ｅに係合可能な複数の凹部８８が形成され、前記凸部９３ｅと前記凹部８８との係合により前記ノック部材９と前記カム部材８とが回り止め係合されてなる。【００２０】
第７の実施態様に係るノック式筆記具１は、上記構成を採用することにより、ノック部材９とカム部材８との一層確実な回転防止構造を得る。【００２１】
本発明の第８の実施態様に係るノック式筆記具１は、第７の実施態様において、前記カム溝６２と前記係合突起８４との回転方向のあそび量が、前記凸部９３ｅと前記凹部８８との回転方向のあそび量より大きく設定される。【００２２】
第８の実施態様に係るノック式筆記具１は、上記構成を採用することにより、ノック部材９内面の凸部９３ｅとカム部材８外面の凹部８８の係合に回転方向の位置ずれが生じても、軸筒２内面のカム溝６２とカム部材８外面の係合突起８４とが適正に係合され、カム溝６２と係合突起８４との摺動不良の発生を抑えることができる。【００２３】
本発明の第９の実施態様に係るノック式筆記具１は、第７または第８の実施態様において、ペン先没入状態において前記係合突起８４を前後方向に係止する係止壁部６３が、前記カム溝６２の後端に形成され、前記軸筒２内面の前記カム溝６２の後方に、前記カム溝６２に連通する前後方向に延びるガイド溝６５が形成され、前記ノック部材９の筒状部９３の外面にガイド突起９３ａが形成され、ペン先没入状態において前記ガイド突起９３ａが前記ガイド溝６５に係合され、ペン先突出状態において前記ガイド突起９３ａが前記カム溝６２に係合される。【００２４】
第９の実施態様に係るノック式筆記具１は、上記構成を採用することにより、ペン先没入状態においてガイド溝６５とガイド突起９３ａとの係合により、ノック部材９の回転が一層防止される。また、第９の実施態様に係るノック式筆記具１は、上記構成を採用することにより、ノック部材９のノックストロークに対応した長さのガイド溝６５を形成する必要がなく、カム溝６２後方の軸筒２の長手寸法を短く設定でき、その結果、ノック部材９及び軸筒２のデザインの自由度が増加する。【００２５】
本発明の第１０の実施態様に係るノック式筆記具１は、第７乃至第９の何れかの実施態様において、前記ノック部材９が、前記クリップ９１と、前記クリップ９１の後部に一体に連設されたクリップ基部９２と、前記クリップ基部９２と一体に連設された前記筒状部９３とを備え、前記軸筒２の後端部の側壁に、前後方向に延設され且つ軸筒２後端より後方に開放されるスライド孔６４が形成され、ペン先突出状態において前記クリップ基部９２前端部が前記スライド孔６４内に挿入され、ペン先没入状態において前記クリップ基部９２前端部が前記スライド孔６４より後方に位置してなる。【００２６】
第１０の実施態様に係るノック式筆記具１は、上記構成を採用することにより、クリップ基部９２の長手方向の長さを十分な長さに設定でき、クリップの耐久性を向上させることができる。【００２７】
本発明の第１１の実施態様に係るノック式筆記具１は、第１の実施態様において、前記カム部材８が筒状部８９を備え、前記ノック部材９が前記カム部材８の筒状部８９内に挿入される挿入部９５を備え、前記筒状部８９の内壁と前記挿入部９５の外壁とが回り止め係合されてなる。【００２８】
第１１の実施態様に係るノック式筆記具１は、上記構成を採用することにより、ノック部材９とカム部材８の確実な回転防止構造を得る。【００２９】
本発明の第１２の実施態様に係るノック式筆記具１は、第１１の実施態様において、前記筒状部８９の内面に前後方向に延びる複数の凹部８９ａが形成され、前記挿入部９５の外面に、前記凹部８９ａに係合可能な複数の凸部９５ａが形成され、前記凹部８９ａと前記凸部９５ａとの係合により前記ノック部材９と前記カム部材８とが回り止め係合されてなる。【００３０】
第１２の実施態様に係るノック式筆記具１は、上記構成を採用することにより、ノック部材９とカム部材８との一層確実な回転防止構造を得る。【００３１】
本発明の第１３の実施態様に係るノック式筆記具は、第１２の実施態様において、前記カム溝６２と前記係合突起８４との回転方向のあそび量が、前記凹部８９ａと前記凸部９５ａとの回転方向のあそび量より大きく設定される。【００３２】
第１３の実施態様に係るノック式筆記具１は、上記構成を採用することにより、ノック部材９外面の凸部９５ａとカム部材８内面の凹部８９ａの係合に回転方向の位置ずれが生じても、軸筒２内面のカム溝６２とカム部材８外面の係合突起８４とが適正に係合され、カム溝６２と係合突起８４との摺動不良の発生を抑えることができる。【００３３】
本発明の第１４の実施態様に係るノック式筆記具１は、第１１乃至第１３の何れかの実施態様において、前記ノック部材９が、前記クリップ９１と、前記クリップ９１の後部に一体に連設されたクリップ基部９２と、前記クリップ基部９２と一体に連設された前記挿入部９５とを備え、前記軸筒２の後端部の側壁に、前後方向に延設され且つ軸筒２後端より後方に開放されるスライド孔６４が形成され、ペン先突出状態において前記クリップ基部９２前端部が前記スライド孔６４内に挿入され、ペン先没入状態において前記クリップ基部９２前端部が前記スライド孔６４より後方に位置してなる。【００３４】
第１４の実施態様に係るノック式筆記具１は、上記構成を採用することにより、クリップ基部９２の長手方向の長さを十分な長さに設定でき、クリップの耐久性を向上させることができる。【００３５】
本発明の第１５実施態様に係るノック式筆記具１は、第１１の実施態様において、前記筒状部８９の内面に前後方向に延びる複数の凸部８９ｄが形成され、前記挿入部９５の外面に、前記凸部８９ｄに係合可能な複数の凹部９５ｄが形成され、前記凸部８９ｄと前記凹部９５ｄとの係合により前記ノック部材９と前記カム部材８とが回り止め係合されてなる。【００３６】
第１５の実施態様に係るノック式筆記具１は、上記構成を採用することにより、ノック部材９とカム部材８との一層確実な回転防止構造を得る。【００３７】
本発明の第１６の実施態様に係るノック式筆記具１は、第１５の実施態様において、前記カム溝６２と前記係合突起８４との回転方向のあそび量が、前記凸部８９ｄと前記凹部９５ｄとの回転方向のあそび量より大きく設定される。【００３８】
第１６の実施態様に係るノック式筆記具１は、上記構成を採用することにより、ノック部材９外面の凹部９５ｄとカム部材８内面の凸部８９ｄの係合に回転方向の位置ずれが生じても、軸筒２内面のカム溝６２とカム部材８外面の係合突起８４とが適正に係合され、カム溝６２と係合突起８４との摺動不良の発生を抑えることができる。【００３９】
本発明の第１７の実施態様に係るノック式筆記具１は、第１５または第１６の実施態様において、前記ノック部材９が、前記クリップ９１と、前記クリップ９１の後部に一体に連設されたクリップ基部９２と、前記クリップ基部９２と一体に連設された前記挿入部９５とを備え、前記軸筒２の後端部の側壁に、前後方向に延設され且つ軸筒後端より後方に開放されるスライド孔６４が形成され、ペン先突出状態において前記クリップ基部９２前端部が前記スライド孔６４内に挿入され、ペン先没入状態において前記クリップ基部９２前端部が前記スライド孔６４より後方に位置してなる。【００４０】
第１７の実施態様に係るノック式筆記具１は、上記構成を採用することにより、クリップ基部９２の長手方向の長さを十分な長さに設定でき、クリップの耐久性を向上させることができる。【００４１】
本発明の第１８の実施態様に係るノック式筆記具１は、軸筒２と、前記軸筒２内に前後方向に移動可能に収容された筆記体３と、前記軸筒２の後端部に設けられたノック部材９、前記ノック部材９を前方に押圧することにより前記筆記体３のペン先３１を軸筒２前端より出没自在にする出没機構と、を備え、前記出没機構が、前記軸筒２内面に形成され、円周方向に沿って交互に配置された前後方向に延びる複数のカム歯６１及びカム溝６２と、前記筆記体３の後方に回転可能に配置され、前記カム歯６１または前記カム溝６２に交互に係合可能な複数の突条７５を有する回転部材７と、前記ノック部材９に連結され、前記回転部材７を回動させる複数のカム突起８３を有するとともに前記軸筒２内面のカム溝６２に前後動自在に係合される複数の係合突起８４を有するカム部材８と、前記筆記体３を後方に付勢する弾発体１０と、を備えたノック式筆記具１であって、前記ノック部材９と前記カム部材８とが回り止め係合されてなる。【００４２】
以上のように、第１８の実施態様に係るノック式筆記具１は、常時、カム部材８の係合突起８４と軸筒２内面のカム溝６２とが係合されるとともにノック部材９とカム部材８とが回り止め係合されてなることにより、ペン先没入状態においてもノック部材９と軸筒２との確実な回転防止がなされる。第１８の実施態様に係るノック部材９は、軸筒２の外面より径方向外方に突出され、軸筒２外面との間でポケット等の被挟持物を挟持する機能を有するクリップを備えた構成でもよいし、軸筒外面との間でポケット等の被挟持物を挟持する機能を有さない単に軸筒の外面より径方向に突出された突出部を備えた構成でもよい。第１８の実施態様に係る回り止め係合は、ノック部材９とカム部材８とが互いに回転することを阻止する係合構造であればよく、例えば、ノック部材９の前端壁とカム部材８の後端壁が係合される構造、ノック部材９とカム部材８の両部材の側壁同士が内側と外側で係合する構造、または、ノック部材９の前端壁とカム部材８の後端壁とが係合し且つノック部材９とカム部材８の両部材の側壁同士が内側と外側で係合する構造等が挙げられる。【００４３】
本発明の第１９の実施態様に係るノック式筆記具１は、軸筒２と、前記軸筒２内に前後方向に移動可能に収容された筆記体３と、前記軸筒２の後端部に設けられ且つ外面に径方向外方に突出する突出部を有するノック部材９と、前記ノック部材９を前方に押圧することにより前記筆記体３のペン先３１を軸筒２前端より出没自在にする出没機構と、を備え、前記出没機構が、前記軸筒２内面に形成され、円周方向に沿って交互に配置された前後方向に延びる複数のカム歯６１及びカム溝６２と、前記筆記体３の後方に回転可能に配置され、前記カム歯６１または前記カム溝６２に交互に係合可能な複数の突条を７５有する回転部材７と、前記ノック部材９に連結され、前記回転部材７を回動させる複数のカム突起８３を有するとともに前記軸筒２内面のカム溝６２に前後動自在に係合される複数の係合突起８４を有するカム部材８と、前記筆記体３を後方に付勢する弾発体１０と、を備えたノック式筆記具１であって、前記ノック部材９と前記カム部材８とが回り止め係合されてなる。【００４４】
以上のように、第１９の実施態様に係るノック式筆記具１は、常時、カム部材８の係合突起８４と軸筒２内面のカム溝６２とが係合されるとともにノック部材９とカム部材８とが回り止め係合されてなることにより、ペン先没入状態においてもノック部材９と軸筒２との確実な回転防止がなされる。第１９の実施態様に係るノック部材９の突出部は、軸筒外面との間でポケット等の被挟持物を挟持する機能を有さない単に軸筒の外面より径方向に突出された突出部であってもよいし、軸筒の外面より径方向外方に突出され且つ軸筒外面との間でポケット等の被挟持物を挟持する機能を有するクリップであってもよい。第１９の実施態様に係る回り止め係合は、ノック部材９とカム部材８とが互いに回転することを阻止する係合構造であればよく、例えば、ノック部材９の前端壁とカム部材８の後端壁が係合される構造、ノック部材９とカム部材８の両部材の側壁同士が内側と外側で係合する構造、または、ノック部材９の前端壁とカム部材８の後端壁とが係合し且つノック部材９とカム部材８の両部材の側壁同士が内側と外側で係合する構造等が挙げられる。【００４５】
本発明の更なる実施態様に係るノック式筆記具１は、筆記体３の内部に前記熱変色性インキ３４を収容し、前記筆記体３の前端に前記熱変色性インキ３４が吐出可能なペン先３１を設け、前記筆記体３を軸筒２内に前後方向に移動可能に収容し、前記軸筒２の後端部にノック部材９を設け、前記ノック部材９を前方に押圧することにより前記ペン先３１を前記軸筒２の前端孔４１から突出状態にし、再度、前記ノック部材９を前方に押圧することにより前記ペン先突出状態を解除し前記ペン先３１を前記軸筒２の前端孔４１より前記軸筒２内に没入状態にする出没機構を備え、前記ノック部材９の後端部外面に、前記熱変色性インキ３４の筆跡を摩擦しその際に生じる摩擦熱で前記熱変色性インキ３４の筆跡を熱変色可能な摩擦部１２を設けたノック式筆記具であって、
前記ノック部材９が、軸筒２の後端部内に挿入可能な本体部９３と、該本体部９３の外面に径方向外方に突出する突出部９２とを備え、
前記軸筒２の後端部の側壁に、前後方向に延設され且つ軸筒２後端より後方に開放されるスライド孔６４が形成され、ペン先突出状態において前記突出部９２前端部が前記スライド孔６４内に挿入され、ペン先没入状態において前記突出部９２前端部が前記スライド孔６４より後方に位置してなり、
前記軸筒２の後端部の側壁内面に、前後方向に延設され且つ軸筒後端より後方に開放されるガイド溝６５が形成され、
前記ノック部材９の本体部９３の外面に前記ガイド溝６５と周方向に係脱可能なガイド突起９３ａが形成され、ペン先没入状態においてノック部材９が前記軸筒２に対して回転可能に構成され、
前記ガイド突起９３ａが前記ガイド溝６５に係合された状態で突出部９２がスライド孔６４内に挿入され前記ノック部材９が前後方向に移動可能であり、
前記ガイド突起９３ａが前記ガイド溝６５との係合状態が解除された状態で前記ノック部材９の突出部９２が前記軸筒２の後端に規制され、ノック部材９の前後方向の移動が阻止される。【００４６】
本実施態様に係るノック式筆記具１において、さらに前記出没機構が、前記軸筒２内面に形成され、円周方向に沿って交互に配置された前後方向に延びる複数のカム歯６１及びカム溝６２と、前記筆記体３の後方に回転可能に配置され、前記カム歯６１または前記カム溝６２に交互に係合可能な複数の突条７５を有する回転部材７と、前記ノック部材９に連結され、前記回転部材７を回動させる複数のカム突起８３を有するとともに前記軸筒２内面のカム溝６２に前後動自在に係合される複数の係合突起８４を有するカム部材８と、前記筆記体３を後方に付勢する弾発体１０と、を備え、
前記回転部材７と前記カム部材８との間にノック部材用弾発体１１を有し、
前記ノック部材用弾発体１１の前端部は、前記回転部材７の内面の係止部７７に係止され、前記ノック部材用弾発体１１の後端部は、前記カム部材８の内面の係止部８１ｂに係止されている。【００４７】
前記ノック部材用弾発体１１により、前記カム部材８に連結された前記ノック部材９が常時後方に付勢され、ペン先突出状態においても、前記ノック部材９の前記突出部９２が、前記スライド孔６４から後方に外れて位置される。それにより、ペン先突出状態及びペン先没入状態のいずれの状態でも、前記ノック部材９を回転でき、摩擦操作を迅速に開始できる。【００４８】
なお、前記ノック部材用弾発体１１の弾発力は、前記弾発体１０の弾発力より小さく設定されるのが好ましい。
【発明の効果】
【００４９】
本発明のノック式筆記具は、ペン先没入状態においてもクリップを有するノック部材が軸筒に対して回転することを確実に防止できる。
【図面の簡単な説明】
【００５０】
【図１】本発明の第１の実施の形態のペン先没入状態を示す縦断面図である。
【図２】本発明の第１の実施の形態のペン先突出状態を示す縦断面図である。
【図３】図１の要部拡大縦断面図である。
【図４】図３のＡ−Ａ線拡大断面図である。
【図５】図３のＢ−Ｂ線拡大断面図である。
【図６】図２の要部拡大縦断面図である。
【図７】図６のＣ−Ｃ線拡大断面図である。
【図８】図６のＤ−Ｄ線矢視図である。
【図９】本発明の第１の実施の形態の出没機構の主要部品を示す分割図である。
【図１０】本発明の第１の実施の形態の後軸の正面図である。
【図１１】本発明の第１の実施の形態の回転部材の正面図である。
【図１２】本発明の第１の実施の形態のカム部材の正面図である。
【図１３】本発明の第１の実施の形態のノック部材の一部縦断面図である。
【図１４】本発明の第１の実施の形態の係合突起とカム溝の係合状態を示す図５の要部拡大断面図である。
【図１５】本発明の第１の実施の形態の凸部と凹部の係合状態を示す図４の要部拡大断面図である。
【図１６】本発明の第２の実施の形態のノック部材の側面図である。
【図１７】本発明の第２の実施の形態のノック部材の縦断面図である。
【図１８】本発明の第２の実施の形態のカム部材の正面図である。
【図１９】本発明の第２の実施の形態のカム部材の縦断面図である。
【図２０】本発明の第３の実施の形態のノック部材の側面図である。
【図２１】本発明の第３の実施の形態のノック部材の縦断面図である。
【図２２】本発明の第３の実施の形態のカム部材の正面図である。
【図２３】本発明の第３の実施の形態のカム部材の縦断面図である。
【図２４】本発明の第４の実施の形態のノック部材の側面図である。
【図２５】本発明の第４の実施の形態のノック部材の縦断面図である。
【図２６】本発明の第４の実施の形態のカム部材の正面図である。
【図２７】本発明の第４の実施の形態のカム部材の縦断面図である。
【図２８】本発明の第５の実施の形態のペン先没入状態を示す縦断面図である。
【図２９】本発明の第５の実施の形態のガイド突起とガイド溝との係合状態を解除した状態を示す要部拡大縦断面図である。
【図３０】図２９のＥ−Ｅ線断面図である。
【図３１】図２９の要部斜視図である。
【図３２】本発明の第５の実施の形態の出没機構の主要部品を示す分割図である。
【図３３】本発明の第５の実施の形態のノック部材用弾発体を追加した構成を示す要部拡大縦断面図である。
【発明を実施するための形態】
【００５１】
＜第１の実施の形態＞
本発明の第１の実施の形態のノック式筆記具を図面に従って説明する。（図１乃至図１５参照）
【００５２】
本実施の形態のノック式筆記具１は、軸筒２と、軸筒２内に収容される筆記体３と、筆記体３のペン先３１を軸筒２の前端孔４１より出没自在にさせる出没機構とを備える。
【００５３】
筆記体３は、ペン先３１と、該ペン先３１が前端開口部に圧入固着されたインキ収容管３２と、該インキ収容管３２内に充填されるインキ３４と、該インキ３４の後端に充填され且つ該インキ３４の消費に伴い前進する追従体３５（例えば高粘度流体）とからなる。
【００５４】
ペン先３１は、例えば、前端に回転可能にボールを抱持した金属製のボールペンのみからなる構成、またはボールペンチップの後部外面を保持した合成樹脂製のペン先ホルダーからなる構成のいずれであってもよい。また、インキ収容管３２の後端開口部に、インキ収容管３２と外部とが通気可能な通気孔を備えた尾栓３３を取り付けられる。
【００５５】
・軸筒
軸筒２は、前軸４と、前軸４の後端部に連結される中間軸５と、中間軸５の後端部に連結される後軸６とからなる。
【００５６】
前軸４は、金属製または合成樹脂製の先細状の円筒体である。前軸４の前端には、ペン先３１が出没する前端孔４１が軸方向に貫設される。前軸４の内面には、弾発体１０の前端部外周面が嵌合される保持壁部４２ａと、弾発体１０の前端が係止される係止段部４２ｂとからなる弾発体保持部４２が一体に形成される。前軸４の後端開口部内面には、雌ネジ部が形成される。
【００５７】
中間軸５は、合成樹脂製の両端が開口された円筒体である。中間軸５の前端部外面には、前軸４の雌ネジ部と螺合可能な雄ネジ部が形成される。中間軸５の後端部外面には、後軸６の雌ネジ部と螺合可能な雄ネジ部が形成される。中間軸５の中間部外面には、弾性材料よりなるグリップ部５１が形成される。グリップ部５１は、前軸４の外面に、２色成形または別部材の取り付けにより設けられる。
【００５８】
後軸６は、合成樹脂製の両端が開口された円筒体である。後軸６の前端開口部内面には、中間軸５の後端部外面の雄ネジ部と螺合可能な雌ネジ部が形成される。後軸６の後部内面には、前後方向に延びる複数（例えば４本）のカム歯６１及びカム溝６２が一体に形成される。カム歯６１及びカム溝６２は、円周方向に沿って交互に配置される。各々のカム歯６１には、前後方向に延びるカムガイド溝６２aが形成される。カムガイド溝６２aとカム溝６２は、円周方向に沿って交互に等間隔に配置される。カム溝６２の後端には、係止壁部６３が一体に形成される。係止壁部６３の後方の後軸６の側壁には、後軸６の後端より後方に開放され且つ前後方向に延びるスライド孔６４が形成される。スライド孔６４の反対側の後軸６の後端開口部内面には、前後方向に延びる１本のガイド溝６５が形成される。ガイド溝６５は、係止壁部６３を貫通し、カム溝６２と連通される。スライド孔６４は、幅狭の前側孔６４ａと、前側孔６４ａに連通され且つ後方に開放された幅広の後側孔６４ｂとを備える。スライド孔６４の前方には、クリップ９１の玉部９１ａが係合可能なスライド溝６６が形成される。スライド溝６６の前後方向の長さはノック部材９のノックストロークに対応した長さに形成される。一方、スライド孔６４の前後方向の長さは、ノック部材９のノックストロークに対応した長さに形成されず、スライド溝６６の前後方向の長さより短く形成される。それにより、カム溝６２後方の軸筒２の長手寸法を短く設定でき、その結果、ノック部材９及び軸筒２のデザインの自由度が増加する。
【００５９】
・出没機構
出没機構は、回転カム機構を用いたノック式出没機構である。出没機構は、軸筒２内面（後軸６内面）に形成されたカム歯６１及びカム溝６２と、カム歯６１またはカム溝６２と係合し且つ筆記体３の後端と当接する回転部材７と、回転部材７及びカム溝６２と係合するカム部材８と、カム部材８と連結されるノック部材９と、軸筒２内に収容され且つ筆記体３を後方に付勢する弾発体１０（例えば圧縮コイルスプリング）とを備える。本実施形態の出没機構は、ペン先突出操作及びペン先没入操作のいずれもがノック部材９を前方に押圧操作するダブルノック式である。
【００６０】
・回転部材
回転部材７は、合成樹脂製の両端が開口された円筒体である。回転部材７の前端部には環状鍔部７１が形成される。回転部材７の環状鍔部７１の後方には、大径筒部７２が形成される。回転部材７の大径筒部７２の後方には、大径筒部７２の外径より小さい外径を有する小径筒部７３が形成される。回転部材７の前端部の内面には、段部７４が形成される。段部７４に筆記体３の後端（筆記体３の後端に取り付けられた尾栓３３）に当接される。大径筒部７２外面（環状鍔部７１の後方且つ小径筒部７３の前方）には、カム溝６２に係合可能な前後方向に延びる複数（例えば４本）の突条７５が形成される。突条７５の後端には、カム歯６１及びカム部材８のカム突起８３に当接可能なカム斜面７６が形成される。小径筒部７３がカム部材８の前端部内面（大径の前部８１内面）に遊挿される。
【００６１】
・カム部材
カム部材８は、前端が開口され後端が閉鎖された合成樹脂製の有底円筒体である。カム部材８は、大径の前部８１と、前部８１の後方に一体に連設され、前部８１外径より小さい外径を有する小径の後部８２（挿入部）とを備える。カム部材８の前端面（大径の前部８１の前端面）には、複数（例えば８個）の鋸刃状（山形状）のカム突起８３が円周状に連設される。カム部材８の前端部外面（大径の前部８１の前端部外面）には、複数（例えば８個）の係合突起８４が円周方向に沿って分散されて形成される。各々の係合突起８４は、各々のカム突起８３の後方に設けられる。ペン先没入状態において係合突起８４が係止壁部６３に前後方向に係止される。係合突起８４とカム溝６２とは、回転方向のあそび量を有する状態で係合される。また、係合突起８４とカムガイド溝６２ａとは、回転方向のあそび量を有する状態で係合される。具体的には、図１４に示すとおり、カム溝６２の幅寸法Ｓ１と係合突起８４と幅寸法Ｓ２とは、０．１９ｍｍの差を有する。同様に、カムガイド溝６２ａの幅寸法と係合突起８４の幅寸法とは、０．１９ｍｍの差を有する。この遊び量（Ｓ１−Ｓ２）は、好ましくは、０．１６〜０．２５ｍｍ、さらに好ましくは０．１８〜０．２１ｍｍの範囲に設定される。ただし、この遊び量（０．１９ｍｍ）は一例であって、その他の任意の値を採用することができる。
【００６２】
カム部材８の小径の後部８２（挿入部）の前端部外面（基部外面）には、前後方向に延びる複数（例えば４本）の凸部８５が、円周方向に沿って等間隔に形成される。凸部８５の後方の小径の後部８２（挿入部）の外面には第１の外向突起８６が形成される。第１の外向突起８６の後方の小径の後部８２（挿入部）の外面には、第２の外向突起８７が形成される。第１の外向突起８６及び第２の外向突起８７は、環状突起または複数の分散状突起により形成される。第１の外向突起８６の外径は、第２の外向突起８７の外径より大きく設定され、それにより、小径の後部８２（挿入部）を筒状部９３内に円滑に容易に挿入することができる。
【００６３】
・ノック部材
ノック部材９は、前後方向に延びるクリップ９１と、クリップ９１の後部に一体に連設されたクリップ基部９２と、クリップ基部９２と一体に連設された有底の筒状部９３とを備え、合成樹脂から形成される。クリップ９１の内面には、玉部９１ａが一体に突設される。クリップ基部９２は、前後方向に延びる板状の第１の連結壁部９２ａと、第１の連結壁部９２ａの後端に一体に連設され、軸線に対して垂直方向に延びる板状の第２の連結壁部９２ｂとを備える。それにより、クリップ基部９２の耐久性を向上させる。また、クリップ９１の玉部９１ａは、前後方向に延びる板状に形成され、後軸６外面のスライド溝６６に前後方向移動可能に係合される。それにより、クリップ９１の回転を防止できる。
【００６４】
クリップ基部９２はスライド孔６４に挿入可能である。ペン先没入状態からペン先突出状態にする際、ノック部材９を前方に押圧操作すると、第１の連結壁部９２ａがスライド孔６４の幅狭の前側孔６４ａ内に挿入され、第２の連結壁部９２ｂがスライド孔６４の幅広の後側孔６４ｂに挿入される。それにより、ノック部材９を前方に押圧した際、クリップ９１の回転をより一層防止できる。
【００６５】
筒状部９３のクリップ基部９２と径方向反対側の外面には、一つのガイド突起９３ａが一体に形成される。筒状部９３の前端開口部内面には、前後方向に延びる複数（例えば８本）の凹部９３ｂが周方向に沿って等間隔に形成される。各々の凹部９３ｂは、筒状部９３の前端より前方に開放される。筒状部９３の凹部９３ｂの後方の内面には、第１の内向突起９３ｃが形成される。第１の内向突起９３ｃの後方の筒状部９３の内面には、第２の内向突起９３ｄが形成される。第１の内向突起９３ｃ及び第２の内向突起９３ｄは、環状突起または複数の分散状突起により形成される。第１の内向突起９３ｃの内径は、第２の内向突起９３ｄの内径より大きく設定され、それにより、小径の後部８２（挿入部）を筒状部９３内に円滑に容易に挿入することができる。クリップ９１の後端面、クリップ基部９２（第２の連結壁部９２ｂ）の後端面、及び筒状部９３の後端面には、同一平面からなる押圧操作面（ノック面）が形成される。
【００６６】
筒状部９３内にカム部材８の小径の後部８２（挿入部）が挿入され、筒状部９３内面と小径の後部８２外面とが嵌合により連結される。筒状部９３内面と小径の後部８２外面とが嵌合された状態において、（ａ）筒状部９３内面の凹部９３ｂと小径の後部８２外面の凸部８５とが係合され、且つ、（ｂ）筒状部９３内面の第１の内向突起９３ｃと小径の後部８２外面の第１の外向突起８６とが乗り越え係止され、且つ、（ｃ）筒状部９３内面の第２の内向突起９３ｄと小径の後部８２外面の第２の外向突起８７とが乗り越え係止される。また、大径の前部８１の後端に当接段部８１ａが形成され、当接段部８１ａと筒状部９３の前端とが当接される。凹部９３ｂと凸部８５とが、回転方向にあそびを有する状態で回り止め係合される。凹部９３ｂと凸部８５との回転方向のあそび量より、カム溝６２と係合突起８４との回転方向のあそび量が大きく設定される。具体的には、図１５に示すとおり、筒状部９３内面の凹部９３ｂの幅寸法Ｔ１と小径の後部８２外面の凸部８５の幅寸法Ｔ２は、０．１０ｍｍの差を有する。この遊び量（Ｔ１−Ｔ２）は、好ましくは、０．０１〜０．１５ｍｍ、さらに好ましくは０．０１〜０．１２ｍｍの範囲に設定される。すなわち、本実施の形態では、カム溝６２と係合突起８４との回転方向のあそび量が、凹部９３ｂと凸部８５との回転方向のあそび量より大きく設定される。ただし、この遊び量（０．１０ｍｍ）は一例であって、カム溝６２と係合突起８４との回転方向のあそび量が、凹部９３ｂと凸部８５との回転方向のあそび量より大きく設定されていれば、その他の任意の値を採用することができる。
【００６７】
ノック部材９のガイド突起９３ａは、後軸６の後端開口部内面のガイド溝６５及びガイド溝６５と前後方向に連通されたカム溝６２に、前後方向移動可能に係合される。ペン先没入状態においてガイド突起９３ａがガイド溝６５に係合され、ペン先突出状態においてガイド突起９３ａがカム溝６２に係合される。
【００６８】
・ペン先出没作動
ペン先没入状態において、カム部材８の係合突起８４がカム溝６２後端の係止壁部６３に係止され、回転部材７の突条７５がカム溝６２に係合され、回転部材７の突条７５の後端のカム斜面７６がカム突起８３に当接されている。筆記体３は、弾発体１０により常時後方に付勢されている。
【００６９】
ペン先没入状態から、弾発体１０の後方付勢に抗してノック部材９を前方に押圧すると、突条７５及び係合突起８４がカム溝６２に沿って前方に移動し、突条７５がカム溝６２から前方に係合状態が解除される。それと同時に、カム突起８３とカム斜面７６との接触により回転部材７が回転され、突条７５後端のカム斜面７６がカム歯６１に係合され、ペン先突出状態が維持される。
【００７０】
ペン先突出状態から、弾発体１０の後方付勢に抗してノック部材９を前方に押圧すると、突条７５及び係合突起８４が前方に移動し、カム突起８３とカム斜面７６との接触により回転部材７が回転され、突条７５後端のカム斜面７６とカム歯６１との係合が解除される。その後、ノック部材９の前方への押圧を解除すると、弾発体１０の後方付勢により、回転部材７及びカム部材８が後方に移動され、突条７５がカム溝６２に係合されて、突条７５がカム溝６２に沿って後方に移動される。その後、カム部材８の係合突起８４がカム溝６２後端の係止壁部６３に係止され、ペン先没入状態となる。
【００７１】
本実施の形態では、前軸４と中間軸５とが螺合により着脱自在に取り付けられるため、筆記体３が交換可能である。また、中間軸５と後軸６とが螺合により着脱自在に取り付けられるため、筆記体３が交換可能である。
【００７２】
本実施形態のノック式筆記具１は、軸筒２と、軸筒２内に前後方向に移動可能に収容された筆記体３と、軸筒２の後端部に設けられ且つクリップ９１を有するノック部材９と、ノック部材９を前方に押圧することにより筆記体３のペン先３１を軸筒２前端より出没自在にする出没機構と、を備え、出没機構が、軸筒２内面に形成され、円周方向に沿って交互に配置された前後方向に延びる複数のカム歯６１及びカム溝６２と、筆記体３の後方に回転可能に配置され、カム歯６１またはカム溝６２に交互に係合可能な複数の突条７５を有する回転部材７と、ノック部材９に連結され、回転部材７を回動させる複数のカム突起８３を有するとともに軸筒２内面のカム溝６２に前後動自在に係合される複数の係合突起８４を有するカム部材８と、筆記体３を後方に付勢する弾発体１０と、を備えたノック式筆記具であって、ノック部材９とカム部材８とが回り止め係合されてなることにより、常時、カム部材８の係合突起８４と軸筒２内面のカム溝６２とが係合されるとともにノック部材９とカム部材８とが回り止め係合されてなることにより、ペン先没入状態においてもクリップ９１を備えたノック部材９と軸筒２との確実な回転防止がなされる。
【００７３】
本実施形態のノック式筆記具は、ノック部材９が、軸筒２の後端開口部内に挿入される筒状部９３を備え、カム部材８が、筒状部９３の内部に挿入される挿入部８２を備え、筒状部９３の内壁と挿入部８２の外壁とが回り止め係合されてなることにより、ノック部材９とカム部材８との確実な回転防止構造を得る。
【００７４】
本実施の形態のノック式筆記具１は、筒状部９３の内面に前後方向に延びる複数の凹部９３ｂが形成され、挿入部８２の外面に、凹部９３ｂに係合可能な複数の凸部８５が形成され、凹部９３ｂと凸部８５との係合によりノック部材９とカム部材８とが回り止め係合されてなることにより、ノック部材９とカム部材８との一層確実な回転防止構造を得る。
【００７５】
本実施形態のノック式筆記具１は、カム溝６２と係合突起８４との回転方向のあそび量が、凹部９３ｂと凸部８５との回転方向のあそび量より大きく設定されることにより、ノック部材９内面の凹部９３ｂとカム部材８外面の凸部８５の係合に回転方向の位置ずれが生じても、軸筒２内面のカム溝６２とカム部材８外面の係合突起８４とが適正に係合され、カム溝６２と係合突起８４との摺動不良の発生を抑えることができる。
【００７６】
本実施形態のノック式筆記具１は、ペン先没入状態において係合突起８４が前後方向に係止される係止壁部６３がカム溝６２の後端に形成され、軸筒２内面のカム溝６２の後方に、カム溝６２に連通する前後方向に延びるガイド溝６５が形成され、ノック部材９の筒状部９３の外面にガイド突起９３ａが形成され、ペン先没入状態においてガイド突起９３ａがガイド溝６５に係合され、ペン先突出状態においてガイド突起９３ａがカム溝６２に係合されることにより、ペン先没入状態においてガイド溝６５とガイド突起９３ａとの係合により、ノック部材９の回転が一層防止される。また、本実施形態のノック式筆記具１は、ノック部材９のノックストロークに対応した長さのガイド溝６５を形成する必要がなく、カム溝６２後方の軸筒２の長手寸法を短く設定でき、その結果、ノック部材９及び軸筒２のデザインの自由度が増加する。
【００７７】
本実施形態のノック式筆記具１は、ノック部材９が、クリップ９１と、クリップ９１の後部に一体に連設されたクリップ基部９２と、クリップ基部９２と一体に連設された筒状部９３とを備え、軸筒２の後端部の側壁に、前後方向に延設され且つ軸筒２後端より後方に開放されるスライド孔６４が形成され、ペン先突出状態においてクリップ基部９２前端部がスライド孔６４内に挿入され、ペン先没入状態においてクリップ基部９２前端部がスライド孔６４より後方に位置してなることにより、スライド孔を設けない場合に比べ、クリップ基部９２の長手方向の長さを十分な長さに設定でき、クリップ９１の耐久性を向上させることができる。
【００７８】
＜第２の実施の形態＞
本発明の第２の実施の形態のノック式筆記具を図面に従って説明する。（図１６乃至図１９参照）
【００７９】
本実施形態は、第１の実施の形態の一部を変更したものである。具体的には、第１の実施形態のカム部材８の凸部８５を凹部８８に変更し、第１の実施形態のノック部材９の凹部９３ｂを凸部９３ｅに変更したものである。
【００８０】
・カム部材
カム部材８は、前端が開口され後端が閉鎖された合成樹脂製の有底円筒体である。カム部材８は、大径の前部８１と、前部８１の後方に一体に連設され、前部８１外径より小さい外径を有する小径の後部８２（挿入部）とを備える。カム部材８の前端面（大径の前部８１の前端面）には、複数（例えば８個）の鋸刃状（山形状）のカム突起８３が円周状に連設される。カム部材８の前端部外面（大径の前部８１の前端部外面）には、複数（例えば８個）の係合突起８４が円周方向に沿って分散されて形成される。各々の係合突起８４は、各々のカム突起８３の後方に設けられる。ペン先没入状態において係合突起８４が係止壁部６３に前後方向に係止される。係合突起８４とカム溝６２とは、回転方向のあそび量を有する状態で係合される。また、係合突起８４とカムガイド溝６２ａとは、回転方向のあそび量を有する状態で係合される。具体的には、カム溝６２の幅寸法と係合突起８４と幅寸法とは、０．１９ｍｍの差を有する。同様に、係合突起８４の幅寸法とカムガイド溝６２ａの幅寸法とは、０．１９ｍｍの差を有する。この遊び量は、好ましくは、０．１６〜０．２５ｍｍ、さらに好ましくは０．１８〜０．２１ｍｍの範囲に設定される。ただし、これは一例であって、この値に限られるものではない。
【００８１】
カム部材８の小径の後部８２（挿入部）の前端部外面（基部外面）には、前後方向に延びる複数（例えば４本）の凹部８８が、円周方向に沿って等間隔に形成される。凹部８８の後方の小径の後部８２（挿入部）の外面には第１の外向突起８６が形成される。第１の外向突起８６の後方の小径の後部８２（挿入部）の外面には、第２の外向突起８７が形成される。第１の外向突起８６及び第２の外向突起８７は、環状突起または複数の分散状突起により形成される。第１の外向突起８６の外径は、第２の外向突起８７の外径より大きく設定され、それにより、小径の後部８２（挿入部）を筒状部９３内に円滑に容易に挿入することができる。
【００８２】
・ノック部材
ノック部材９は、前後方向に延びるクリップ９１と、クリップ９１の後部に一体に連設されたクリップ基部９２と、クリップ基部９２と一体に連設された有底の筒状部９３とを備え、合成樹脂から形成される。クリップ９１の内面には、玉部９１ａが一体に突設される。クリップ基部９２は、前後方向に延びる板状の第１の連結壁部９２ａと、第１の連結壁部９２ａの後端に一体に連設され、軸線に対して垂直方向に延びる板状の第２の連結壁部９２ｂとを備える。それにより、クリップ基部９２の耐久性を向上させる。また、クリップ９１の玉部９１ａは、前後方向に延びる板状に形成され、後軸６外面のスライド溝６６に前後方向移動可能に係合される。それにより、クリップ９１の回転を防止できる。
【００８３】
クリップ基部９２はスライド孔６４に挿入可能である。ペン先没入状態からペン先突出状態にする際、ノック部材９を前方に押圧操作すると、第１の連結壁部９２ａがスライド孔６４の幅狭の前側孔６４ａ内に挿入され、第２の連結壁部９２ｂがスライド孔６４の幅広の後側孔６４ｂに挿入される。それにより、ノック部材９を前方に押圧した際、クリップ９１の回転をより一層防止できる。
【００８４】
筒状部９３のクリップ基部９２と径方向反対側の外面には、一つのガイド突起９３ａが一体に形成される。筒状部９３の前端開口部内面には、前後方向に延びる複数（例えば８本）の凸部９３ｅが周方向に沿って等間隔に形成される。筒状部９３の凸部９３ｅの後方の内面には、第１の内向突起９３ｃが形成される。第１の内向突起９３ｃの後方の筒状部９３の内面には、第２の内向突起９３ｄが形成される。第１の内向突起９３ｃ及び第２の内向突起９３ｄは、環状突起または複数の分散状突起により形成される。第１の内向突起９３ｃの内径は、第２の内向突起９３ｄの内径より大きく設定され、それにより、小径の後部８２（挿入部）を筒状部９３内に円滑に容易に挿入することができる。クリップ９１の後端面、クリップ基部９２（第２の連結壁部９２ｂ）の後端面、及び筒状部９３の後端面には、同一平面からなる押圧操作面（ノック面）が形成される。
【００８５】
筒状部９３内にカム部材８の小径の後部８２（挿入部）が挿入され、筒状部９３内面と小径の後部８２外面とが嵌合により連結される。筒状部９３内面と小径の後部８２外面とが嵌合された状態において、（ａ）筒状部９３内面の凸部９３ｅと小径の後部８２外面の凹部８８とが係合され、且つ、（ｂ）筒状部９３内面の第１の内向突起９３ｃと小径の後部８２外面の第１の外向突起８６とが乗り越え係止され、且つ、（ｃ）筒状部９３内面の第２の内向突起９３ｄと小径の後部８２外面の第２の外向突起８７とが乗り越え係止される。凸部９３ｅと凹部８８とが、回転方向にあそびを有する状態で回り止め係合される。また、大径の前部８１の後端に当接段部８１ａが形成され、当接段部８１ａと筒状部９３の前端とが当接される。凸部９３ｅと凹部８８との回転方向のあそび量より、カム溝６２と係合突起８４との回転方向のあそび量が大きく設定される。具体的には、筒状部９３内面の凸部９３ｅの幅寸法と小径の後部８２外面の凹部８８の幅寸法は、０．１０ｍｍの差を有する。この遊び量は、好ましくは、０．０１〜０．１５ｍｍ、さらに好ましくは０．０１〜０．１２ｍｍの範囲に設定される（ただし、これは一例であって、この値に限られるものではない）。すなわち、本実施の形態では、カム溝６２と係合突起８４との回転方向のあそび量が、凸部９３ｅと凹部８８との回転方向のあそび量より大きく設定される。
【００８６】
尚、他の構成及び作用効果は、第１の実施の形態と重複するため、記載は省略する。
【００８７】
＜第３の実施の形態＞
本発明の第３の実施の形態のノック式筆記具を図面に従って説明する。（図２０乃至図２４参照）
【００８８】
本実施形態は、第１の実施の形態の一部を変更したものである。具体的には、第１の実施形態のカム部材８の挿入部８２を筒状部８９に変更し、第１の実施形態のノック部材９の筒状部９３を挿入部９５に変更したものである。
【００８９】
・カム部材
カム部材８は、両端が開口された合成樹脂製の円筒体であり、筒状部８９を備える。カム部材８の前端面には、複数（例えば８個）の鋸刃状（山形状）のカム突起８３が円周状に連設される。カム部材８の前端部外面には、複数（例えば８個）の係合突起８４が円周方向に沿って分散されて形成される。各々の係合突起８４は、各々のカム突起８３の後方に設けられる。ペン先没入状態において、係合突起８４が係止壁部６３に前後方向に係止される。係合突起８４とカム溝６２とは、回転方向のあそび量を有する状態で係合される。また、係合突起８４とカムガイド溝６２ａとは、回転方向のあそび量を有する状態で係合される。具体的には、カム溝６２の幅寸法と係合突起８４の幅寸法とは、０．１９ｍｍの差を有する。同様に、係合突起８４の幅寸法とカムガイド溝６２ａの幅寸法とは、０．１９ｍｍの差を有する。この遊び量は、好ましくは、０．１６〜０．２５ｍｍ、さらに好ましくは０．１８〜０．２１ｍｍの範囲に設定される。ただし、これは一例であって、この値に限られるものではない。
【００９０】
カム部材８の筒状部８９の後端開口部内面には、前後方向に延びる複数（例えば８本）の凹部８９ａが周方向に沿って等間隔に形成される。各々の凹部８９ａは、筒状部８９の後端より後方に開放される。筒状部８９の凹部８９ａの前方の内面には、第１の内向突起８９ｂが形成される。第１の内向突起８９ｂの前方の筒状部８９の内面には、第２の内向突起８９ｃが形成される。第１の内向突起８９ｂ及び第２の内向突起８９ｃは、環状突起または複数の分散状突起により形成される。第１の内向突起８９ｂの内径は、第２の内向突起８９ｃの内径より大きく設定され、それにより、挿入部９５を筒状部８９内に円滑に容易に挿入することができる。
【００９１】
・ノック部材
ノック部材９は、前後方向に延びるクリップ９１と、クリップ９１の後部に一体に連設されたクリップ基部９２と、クリップ基部９２と一体に連設された円筒状または円柱状の軸部９４と、該軸部９４より前方に一体に連設された円筒状または円柱状の挿入部９５とを備え、合成樹脂から形成される。クリップ９１の内面には、玉部９１ａが一体に突設される。クリップ基部９２は、前後方向に延びる板状の第１の連結壁部９２ａと、第１の連結壁部９２ａの後端に一体に連設され、軸線に対して垂直方向に延びる板状の第２の連結壁部９２ｂとを備える。それにより、クリップ基部９２の耐久性を向上させる。また、クリップ９１の玉部９１ａは、前後方向に延びる板状に形成され、後軸６外面のスライド溝６６に前後方向移動可能に係合される。それにより、クリップ９１の回転を防止できる。
【００９２】
クリップ基部９２はスライド孔６４に挿入可能である。ペン先没入状態からペン先突出状態にする際、ノック部材９を前方に押圧操作すると、第１の連結壁部９２ａがスライド孔６４の幅狭の前側孔６４ａ内に挿入され、第２の連結壁部９２ｂがスライド孔６４の幅広の後側孔６４ｂに挿入される。それにより、ノック部材９を前方に押圧した際、クリップ９１の回転をより一層防止できる。
【００９３】
挿入部９５は、小径の前部と、該小径の前部より大きい外径を有する大径の後部とを備える。大径の後部の外面には、前後方向に延びる複数（例えば８本）の凸部９５ａが周方向に沿って等間隔に形成される。凸部９５ａの前方の挿入部９５の外面（小径の前部の外面）には、第１の外向突起９５ｂが形成される。第１の外向突起９５ｂの前方の挿入部９５の外面（小径の前部の外面）には、第２の外向突起９５ｃが形成される。第１の外向突起９５ｂ及び第２の外向突起９５ｃは、環状突起または複数の分散状突起により形成される。第１の外向突起９５ｂの外径は、第２の外向突起９５ｃの外径より大きく設定され、それにより、挿入部９５を筒状部８９内に円滑に容易に挿入することができる。クリップ９１の後端面、クリップ基部９２（第２の連結壁部９２ｂ）の後端面、及び軸部９４の後端面には、同一平面からなる押圧操作面（ノック面）が形成される。
【００９４】
カム部材８の筒状部８９内にノック部材９の挿入部９５が挿入され、筒状部８９内面と挿入部９５外面とが嵌合により連結される。筒状部８９内面と挿入部９５外面とが嵌合された状態において、（ａ）筒状部８９内面の凹部８９ａと挿入部９５外面の凸部９５ａとが係合され、且つ、（ｂ）筒状部８９内面の第１の内向突起８９ｂと挿入部９５外面の第１の外向突起９５ｂとが乗り越え係止され、且つ、（ｃ）筒状部８９内面の第２の内向突起８９ｃと挿入部９５外面の第２の外向突起９５ｃとが乗り越え係止される。凹部８９ａと凸部９５ａとが、回転方向にあそびを有する状態で回り止め係合される。凹部８９ａと凸部９５ａとの回転方向のあそび量より、カム溝６２と係合突起８４との回転方向のあそび量が大きく設定される。具体的には、凹部８９ａの幅寸法と凸部９５ａの幅寸法は、０．１０ｍｍの差を有する。この遊び量は、好ましくは、０．０１〜０．１５ｍｍ、さらに好ましくは０．０１〜０．１２ｍｍの範囲に設定される（ただし、これは一例であって、この値に限られるものではない）。すなわち、本実施の形態では、カム溝６２と係合突起８４との回転方向のあそび量が、凹部８９ａと凸部９５ａとの回転方向のあそび量より大きく設定される。
軸部９４と挿入部９５との間には、当接段部９６が形成され、筒状部８９内面と挿入部９５外面との連結後、当接段部９５とカム部材８の後端が当接される。
【００９５】
尚、他の構成及び作用効果は、第１の実施の形態と重複するため、記載は省略する。
【００９６】
＜第４の実施の形態＞
本発明の第４の実施の形態のノック式筆記具を図面に従って説明する。（図２４乃至図２７参照）
【００９７】
本実施形態は、第１の実施の形態の一部を変更したものである。具体的には、第１の実施形態のカム部材８の挿入部８２を筒状部８９に変更し、第１の実施形態のノック部材８９の筒状部９３を挿入部９５に変更したものである。また、本実施の形態は、第３の実施の形態の一部を変更したものである。具体的には、第３の実施形態のノック部材９の凸部９５ａを凹部９５ｄに変更し、第３実施形態のカム部材８の凹部８９ａを凸部８９ｄに変更したものである。
【００９８】
・カム部材
カム部材８は、両端が開口された合成樹脂製の円筒体であり、筒状部８９を備える。カム部材８の前端面には、複数（例えば８個）の鋸刃状（山形状）のカム突起８３が円周状に連設される。カム部材８の前端部外面には、複数（例えば８個）の係合突起８４が円周方向に沿って分散されて形成される。各々の係合突起８４は、各々のカム突起８３の後方に設けられる。ペン先没入状態において係合突起８４が係止壁部６３に前後方向に係止される。係合突起８４とカム溝６２とは、回転方向のあそび量を有する状態で係合される。また、係合突起８４とカムガイド溝６２ａとは、回転方向のあそび量を有する状態で係合される。具体的には、カム溝６２の幅寸法と係合突起８４と幅寸法とは、０．１９ｍｍの差を有する。同様に、係合突起８４の幅寸法とカムガイド溝６２ａの幅寸法とは、０．１９ｍｍの差を有する。この遊び量は、好ましくは、０．１６〜０．２５ｍｍ、さらに好ましくは０．１８〜０．２１ｍｍの範囲に設定される。ただし、これは一例であって、この値に限られるものではない。
【００９９】
カム部材８の筒状部８９の後端開口部内面には、前後方向に延びる複数（例えば８本）の凸部８９ｄが周方向に沿って等間隔に形成される。筒状部８９の凸部８９ｂの前方の内面には、第１の内向突起８９ｂが形成される。第１の内向突起８９ｂの前方の筒状部８９の内面には、第２の内向突起８９ｃが形成される。第１の内向突起８９ｂ及び第２の内向突起８９ｃは、環状突起または複数の分散状突起により形成される。第１の内向突起８９ｂの内径は、第２の内向突起８９ｃの内径より大きく設定され、それにより、挿入部９５を筒状部８９内に円滑に容易に挿入することができる。
【０１００】
・ノック部材
前記ノック部材９は、前後方向に延びるクリップ９１と、クリップ９１の後部に一体に連設されたクリップ基部９２と、クリップ基部９２と一体に連設された円筒状または円柱状の軸部９４と、該軸部９４より前方に一体に連設された円筒状または円柱状の挿入部９５とを備え、合成樹脂から形成される。クリップ９１の内面には、玉部９１ａが一体に突設される。クリップ基部９２は、前後方向に延びる板状の第１の連結壁部９２ａと、第１の連結壁部９２ａの後端に一体に連設され、軸線に対して垂直方向に延びる板状の第２の連結壁部９２ｂとを備える。それにより、クリップ基部９２の耐久性を向上させる。また、クリップ９１の玉部９１ａは、前後方向に延びる板状に形成され、後軸６外面のスライド溝６６に前後方向移動可能に係合される。それにより、クリップ９１の回転を防止できる。
【０１０１】
クリップ基部９２はスライド孔６４に挿入可能である。ペン先没入状態からペン先突出状態にする際、ノック部材９を前方に押圧操作すると、第１の連結壁部９２ａがスライド孔６４の幅狭の前側孔６４ａ内に挿入され、第２の連結壁部９２ｂがスライド孔６４の幅広の後側孔６４ｂに挿入される。それにより、ノック部材９を前方に押圧した際、クリップ９１の回転をより一層防止できる。
【０１０２】
挿入部９５は、小径の前部と、該小径の前部より大きい外径を有する大径の後部とを備える。大径の後部の外面には、前後方向に延びる複数（例えば８本）の凹部９５ｄが周方向に沿って等間隔に形成される。凹部９５ｄの前方の挿入部９５の外面（小径の前部の外面）には、第１の外向突起９５ｂが形成される。第１の外向突起９５ｂの前方の挿入部９５の外面（小径の前部の外面）には、第２の外向突起９５ｃが形成される。第１の外向突起９５ｂ及び第２の外向突起９５ｃは、環状突起または複数の分散状突起により形成される。第１の外向突起９５ｂの外径は、第２の外向突起９５ｃの外径より大きく設定され、それにより、挿入部９５を筒状部８９内に円滑に容易に挿入することができる。クリップ９１の後端面、クリップ基部９２（第２の連結壁部９２ｂ）の後端面、及び軸部９４の後端面には、同一平面からなる押圧操作面（ノック面）が形成される。
【０１０３】
カム部材８の筒状部８９内にノック部材９の挿入部９５が挿入され、筒状部８９内面と挿入部９５外面とが嵌合により連結される。筒状部８９内面と挿入部９５外面とが嵌合された状態において、（ａ）筒状部８９内面の凸部８９ｄと挿入部９５外面の凹部９５ｄとが係合され、且つ、（ｂ）筒状部８９内面の第１の内向突起８９ｂと挿入部９５外面の第１の外向突起９５ｂとが乗り越え係止され、且つ、（ｃ）筒状部８９内面の第２の内向突起８９ｃと挿入部９５外面の第２の外向突起９５ｃとが乗り越え係止される。凹部９５ｄと凸部８９ｄとが、回転方向にあそびを有する状態で回り止め係合される。凹部９５ｄと凸部８９ｄとの回転方向のあそび量より、カム溝６２と係合突起８４との回転方向のあそび量が大きく設定される。具体的には、凹部９５ｄの幅寸法と凸部８９ｄの幅寸法は、０．１０ｍｍの差を有する。この遊び量は、好ましくは、０．０１〜０．１５ｍｍ、さらに好ましくは０．０１〜０．１２ｍｍの範囲に設定される（ただし、これは一例であって、この値に限られるものではない）。すなわち、本実施の形態では、カム溝６２と係合突起８４との回転方向のあそび量が、凹部９５ｄと凸部８９ｄとの回転方向のあそび量より大きく設定される。軸部９４と挿入部９５との間には、当接段部９６が形成され、筒状部８９内面と挿入部９５外面との連結後、当接段部９５とカム部材８の後端が当接される。
【０１０４】
尚、他の構成及び作用効果は、第１の実施の形態及び第３の実施の形態と重複するため、記載は省略する。
【０１０５】
＜第５の実施の形態＞
本発明の第５の実施の形態のノック式筆記具を図面に従って説明する（図２８乃至図３３参照）。尚、本実施形態におけるカム部材８およびノック部材９の以外の部品（即ち、軸筒２、筆記体３、回転部材７、弾発体１０）は、第１の実施の形態と共通である。
【０１０６】
本実施形態のノック式筆記具１は、筆記体３の内部に熱変色性インキ３４を収容し、筆記体３の前端に熱変色性インキ３４が吐出可能なペン先３１を設け、筆記体３を軸筒２内に前後方向に移動可能に収容し、軸筒２の後端部にノック部材９を設け、ノック部材９を前方に押圧することによりペン先３１を軸筒２の前端孔４１から突出状態にし、再度、ノック部材９を前方に押圧することによりペン先突出状態を解除しペン先３１を軸筒２の前端孔４１より軸筒２内に没入状態にする出没機構を備え、ノック部材９の後端部外面に、熱変色性インキ３４の筆跡を摩擦しその際に生じる摩擦熱で熱変色性インキ３４の筆跡を熱変色可能な摩擦部１２を設けたノック式筆記具であって、ノック部材９が、軸筒２の後端部内に挿入可能な本体部９３と、該本体部９３の外面に径方向外方に突出する突出部９２とを備え、軸筒２の後端部の側壁に、前後方向に延設され且つ軸筒２後端より後方に開放されるスライド孔６４が形成され、ペン先突出状態において突出部９２前端部がスライド孔６４内に挿入され、ペン先没入状態において突出部９２前端部がスライド孔６４より後方に位置してなり、軸筒２の後端部の側壁内面に、前後方向に延設され且つ軸筒後端より後方に開放されるガイド溝６５が形成され、ノック部材９の本体部９３の外面にガイド溝６５と周方向に係脱可能なガイド突起９３ａが形成され、ペン先没入状態においてノック部材９が軸筒２に対して回転可能に構成され、ガイド突起９３ａがガイド溝６５に係合された状態で突出部９２がスライド孔６４内に挿入されノック部材９が前後方向に移動可能であり、ガイド突起９３ａがガイド溝６５との係合状態が解除された状態でノック部材９の突出部９２が軸筒２の後端に規制され、ノック部材９の前後方向の移動が阻止される。
【０１０７】
本実施形態のノック式筆記具１は、軸筒２と、軸筒２内に収容される筆記体３と、筆記体３のペン先３１を軸筒２の前端孔４１より出没自在にさせる出没機構とを備える。
【０１０８】
・筆記体
筆記体３は、ペン先３１と、該ペン先３１が開口部に圧入固着されたインキ収容管３２と、該インキ収容管３２内に充填される熱変色性インキ３４と、該熱変色性インキ３４の後端に充填され且つ該熱変色性インキ３４の消費に伴い前進する追従体３５（例えば高粘度流体）とからなる。
【０１０９】
ペン先３１は、例えば、前端に回転可能にボールを抱持した金属製のボールペンのみからなる構成、またはボールペンチップの後部外面を保持した合成樹脂製のペン先ホルダーからなる構成のいずれであってもよい。また、インキ収容管３２の後端開口部に、インキ収容管３２と外部とが通気可能な通気孔を備えた尾栓３３を取り付けられる。
【０１１０】
・軸筒
軸筒２は、前軸４と、前軸４の後端部に連結される中間軸５と、中間軸５の後端部に連結される後軸６とからなる。
【０１１１】
前軸４は、金属製または合成樹脂製の先細状の円筒体である。前軸４の前端には、ペン先３１が出没する前端孔４１が軸方向に貫設される。前軸４の内面には、弾発体１０の前端部外周面が嵌合される保持壁部４２ａと、弾発体１０の前端が係止される係止段部４２ｂとからなる弾発体保持部４２が一体に形成される。前軸４の後端開口部内面には、雌ネジ部が形成される。
【０１１２】
中間軸５は、合成樹脂製の両端が開口された円筒体である。中間軸５の前端部外面には、前軸４の雌ネジ部と螺合可能な雄ネジ部が形成される。中間軸５の後端部外面には、後軸６の雌ネジ部と螺合可能な雄ネジ部が形成される。中間軸５の中間部外面には、弾性材料よりなるグリップ部５１が形成される。グリップ部５１は、前軸４の外面に、２色成形または別部材の取り付けにより設けられる。
【０１１３】
後軸６は、合成樹脂製の両端が開口された円筒体である。後軸６の前端開口部内面には、中間軸５の後端部外面の雄ネジ部と螺合可能な雌ネジ部が形成される。後軸６の後部内面には、前後方向に延びる複数（例えば４本）のカム歯６１及びカム溝６２が一体に形成される。カム歯６１及びカム溝６２は、円周方向に沿って交互に配置される。各々のカム歯６１には、前後方向に延びるカムガイド溝６２aが形成される。カムガイド溝６２aとカム溝６２は、円周方向に沿って交互に等間隔に配置される。カム溝６２の後端には、係止壁部６３が一体に形成される。係止壁部６３の後方の後軸６の側壁には、後軸６の後端より後方に開放され且つ前後方向に延びるスライド孔６４が形成される。スライド孔６４の反対側の後軸６の後端開口部内面には、前後方向に延びる１本のガイド溝６５が形成される。ガイド溝６５は、係止壁部６３を貫通し、カム溝６２と連通される。スライド孔６４は、幅狭の前側孔６４ａと、前側孔６４ａに連通され且つ後方に開放された幅広の後側孔６４ｂとを備える。スライド孔６４の前方の軸筒２の外面には、クリップ９１の玉部９１ａが係合可能なスライド溝６６が形成される。（図１０参照）
【０１１４】
・出没機構
出没機構は、回転カム機構を用いたノック式出没機構である。出没機構は、軸筒２内面（後軸６内面）に形成されたカム歯６１及びカム溝６２と、カム歯６１またはカム溝６２と係合し且つ筆記体３の後端と当接する回転部材７と、回転部材７及びカム溝６２と係合するカム部材８と、カム部材８と連結されるノック部材９と、軸筒２内に収容され且つ筆記体３を後方に付勢する弾発体１０（例えば圧縮コイルスプリング）とを備える。本実施形態の出没機構は、ペン先突出操作及びペン先没入操作のいずれもがノック部材９を前方に押圧操作するダブルノック式である。
【０１１５】
・回転部材
回転部材７は、合成樹脂製の両端が開口された円筒体である。回転部材７の前端部には環状鍔部７１が形成される。回転部材７の環状鍔部７１の後方には、大径筒部７２が形成される。回転部材７の大径筒部７２の後方には、大径筒部７２の外径より小さい外径を有する小径筒部７３が形成される。回転部材７の前端部の内面には、段部７４が形成される。段部７４に筆記体３の後端（筆記体３の後端に取り付けられた尾栓３３）に当接される。大径筒部７２外面（環状鍔部７１の後方且つ小径筒部７３の前方）には、カム溝６２に係合可能な前後方向に延びる複数（例えば４本）の突条７５が形成される。突条７５の後端には、カム歯６１及びカム部材８のカム突起８３に当接可能なカム斜面７６が形成される。小径筒部７３がカム部材８の前端部内面（大径の前部８１内面）に遊挿される。（図１１参照）
【０１１６】
・カム部材
カム部材８は、前端が開口され後端が閉鎖された合成樹脂製の有底円筒体である。カム部材８は、大径の前部８１と、前部８１の後方に一体に連設され、前部８１外径より小さい外径を有する小径の後部８２（挿入部）とを備える。カム部材８の前端面（大径の前部８１の前端面）には、複数（例えば８個）の鋸刃状（山形状）のカム突起８３が円周状に連設される。カム部材８の前端部外面（大径の前部８１の前端部外面）には、複数（例えば８個）の係合突起８４が円周方向に沿って分散されて形成される。各々の係合突起８４は、各々のカム突起８３の後方に設けられる。ペン先没入状態において係合突起８４が係止壁部６３に前後方向に係止される。係合突起８４とカム溝６２とは、回転方向のあそび量を有する状態で係合される。また、係合突起８４とカムガイド溝６２ａとは、回転方向のあそび量を有する状態で係合される。（図３２参照）
【０１１７】
カム部材８の小径の後部８２（挿入部）の外面には第１の外向突起８６が形成される。第１の外向突起８６の後方の小径の後部８２（挿入部）の外面には、第２の外向突起８７が形成される。第１の外向突起８６及び第２の外向突起８７は、環状突起または複数の分散状突起により形成される。第１の外向突起８６の外径は、第２の外向突起８７の外径より大きく設定され、それにより、小径の後部８２（挿入部）を筒状部９３内に円滑に容易に挿入することができる。（図２９参照）
【０１１８】
・ノック部材
ノック部材９は、前後方向に延びるクリップ９１と、クリップ９１の後部に一体に連設されたクリップ基部９２（突出部）と、クリップ基部９２と一体に連設された有底の筒状の本体部９３とを備え、合成樹脂から形成される。クリップ９１の内面には、玉部９１ａが一体に突設される。クリップ基部９２は、前後方向に延びる板状の第１の連結壁部９２ａと、第１の連結壁部９２ａの後端に一体に連設され、軸線に対して垂直方向に延びる板状の第２の連結壁部９２ｂとを備える。それにより、クリップ基部９２の耐久性を向上させる。また、リップ９１の玉部９１ａは、前後方向に延びる板状に形成され、後軸６外面のスライド溝６６に前後方向移動可能に係合される。（図３１、図３３参照）
【０１１９】
クリップ基部９２はスライド孔６４に挿入可能である。ペン先没入状態からペン先突出状態にする際、ノック部材９を前方に押圧操作すると、第１の連結壁部９２ａがスライド孔６４の幅狭の前側孔６４ａ内に挿入され、第２の連結壁部９２ｂがスライド孔６４の幅広の後側孔６４ｂに挿入される。
【０１２０】
本体部９３のクリップ基部９２と径方向反対側の外面には、一つのガイド突起９３ａが一体に形成される。本体部９３の内面には、第１の内向突起９３ｃが形成される。第１の内向突起９３ｃの後方の筒状部９３の内面には、第２の内向突起９３ｄが形成される。第１の内向突起９３ｃ及び第２の内向突起９３ｄは、環状突起または複数の分散状突起により形成される。第１の内向突起９３ｃの内径は、第２の内向突起９３ｄの内径より大きく設定され、それにより、小径の後部８２（挿入部）を筒状部９３内に円滑に容易に挿入することができる。（図２９参照）
【０１２１】
ノック部材９の本体部９３の後端面には、弾性材料からなる摩擦部１２が取り付けられる。ノック部材９の本体部９３の後端面には後方に突出する棒状突部９７が形成される。棒状突部９７の外面には環状の外向突起が形成される。棒状突部９７の外面に、筒状の弾性材料からなる摩擦部１２が圧入により取り付けられる。棒状突部９７に摩擦部１２が取り付けられた状態において、棒状突部９７の外面の環状の外向突起が、摩擦部１２の内面の環状の内向突起と乗り越え係止され、摩擦操作時に摩擦部１２が棒状突部９７から脱落することを防止できる。棒状突部９７の後端は、摩擦部１２の後端面より前方に位置される。即ち、棒状突部９７の後端は、摩擦部１２の後端面より後方に突出されていない。それにより、ノック部材９を出没操作する際、指が棒状突部９７に接触せず、指と摩擦部１２後端面との滑りの無い安定した接触が可能となる。なお、摩擦部の取付構造は、これに限らない。
【０１２２】
ノック部材９の本体部９３内にカム部材８の小径の後部８２（挿入部）が挿入され、本体部９３内面と小径の後部８２外面とが嵌合により連結される。本体部９３内面と小径の後部８２外面とが嵌合された状態において、本体部９３内面の第１の内向突起９３ｃと小径の後部８２外面の第１の外向突起８６とが乗り越え係止され、且つ、本体部９３内面の第２の内向突起９３ｄと小径の後部８２外面の第２の外向突起８７とが乗り越え係止される。また、大径の前部８１の後端に当接段部８１ａが形成され、当接段部８１ａと本体部９３の前端とが当接される。（図２９参照）
【０１２３】
ノック部材９のガイド突起９３ａは、後軸６の後端開口部内面のガイド溝６５及びガイド溝６５と前後方向に連通されたカム溝６２に、前後方向移動可能に係合される。ペン先没入状態においてガイド突起９３ａがガイド溝６５に係合され、ペン先突出状態においてペン先下向きにすると重力によりノック部材９が下降し、ガイド突起９３ａがカム溝６２に係合される。
【０１２４】
・ペン先出没作動
ペン先没入状態において、カム部材８の係合突起８４がカム溝６２後端の係止壁部６３に係止され、回転部材７の突条７５がカム溝６２に係合され、回転部材７の突条７５の後端のカム斜面７６がカム突起８３に当接されている。筆記体３は、弾発体１０により常時後方に付勢されている。
【０１２５】
ペン先没入状態から、弾発体１０の後方付勢に抗してノック部材９を前方に押圧すると、突条７５及び係合突起８４がカム溝６２に沿って前方に移動し、突条７５がカム溝６２から前方に係合状態が解除される。それと同時に、カム突起８３とカム斜面７６との接触により回転部材７が回転され、突条７５後端のカム斜面７６がカム歯６１に係合され、ペン先突出状態が維持される。
【０１２６】
ペン先突出状態から、弾発体１０の後方付勢に抗してノック部材９を前方に押圧すると、突条７５及び係合突起８４が前方に移動し、カム突起８３とカム斜面７６との接触により回転部材７が回転され、突条７５後端のカム斜面７６とカム歯６１との係合が解除される。その後、ノック部材９の前方への押圧を解除すると、弾発体１０の後方付勢により、回転部材７及びカム部材８が後方に移動され、突条７５がカム溝６２に係合され、突条７５がカム溝６２に沿って後方に移動され、その後、カム部材８の係合突起８４がカム溝６２後端の係止壁部６３に係止され、ペン先没入状態となる。
【０１２７】
本実施形態では、前軸４と中間軸５とが螺合により着脱自在に取り付けられるため、筆記体３が交換可能である。また、中間軸５と後軸６とが螺合により着脱自在に取り付けられるため、筆記体３が交換可能である。
【０１２８】
本実施形態のノック式筆記具１は、摩擦部１２を用いて摩擦操作する際には、ノック部材９を軸筒２に対して回転させ、ガイド突起９３ａとガイド溝６５との係合状態を解除させる。それにより、ノック部材９を前方に押圧しても、ノック部材９のクリップ基部（突出部）９２が軸筒２後端のスライド孔６４から周方向に離れた部分に規制され、ノック部材９の軸筒２に対する前後方向の移動が阻止される。その結果、ノック部材９の後端の摩擦部１２を用いて安定した摩擦操作が可能となる。（図２９、図３０、図３１）
【０１２９】
本実施形態のノック式筆記具１は、ペン先の出没操作をする際には、ノック部材９を軸筒２に対して回転させ、ガイド突起９３ａとガイド溝６５とを係合状態にさせる。この状態でノック部材９を前後方向に移動させると、クリップ基部９２がスライド孔６４内を前後方向に移動するととともに、ガイド突起９３ａがガイド溝６５内を前後方向に移動する。その結果、ペン先の出没操作が可能となる。本実施形態のノック式筆記具１は、ガイド突起９３ａとガイド溝６５とを係合解除状態において、ガイド突起９３ａが軸筒の円周状内面に圧接されるか、または、ガイド突起９３ａが軸筒２の内面に形成された窪み部６７に係合される。ガイド突起９３ａが窪み部６７に係合される場合には、クリップ基部（突出部）９２がスライド孔６４から周方向に離れた状態を確実に維持することができる。窪み部６７の幅寸法をガイド溝６５の幅寸法より大きくすることにより、ガイド突起９３ａをより容易に窪み部６７に係合させることができる。また、窪み部６７の内面に、射出成形ゲート部を位置させることもできる。また、ガイド溝６５の周方向の縁部、窪み部６７の周方向の縁部、及びガイド突起９３ａの周方向の角部を凸曲面状にすることにより、ガイド溝６５及び窪み部６７と、ガイド突起９３ａとの円滑な係脱が可能となる。また、ガイド突起９３ａが軸筒の円周状内面に圧接されている場合には、摩擦力でその状態を維持することができ、この摩擦力により、ノック部材９の軸筒２に対する前後方向の移動を抑制する効果も得られる。
【０１３０】
・ノック部材用弾発体
前記実施の形態において、回転部材７とカム部材８との間にノック部材用弾発体１１を配置する構成を採用してもよい（図３３参照）。前記ノック部材用弾発体１１の弾発力は、弾発体１０の弾発力より小さく設定される。ノック部材用弾発体１１の前端部は、回転部材７の内面の係止部７７に係止され、ノック部材用弾発体１１の後端部は、カム部材８の内面の係止部８１ｂに係止されている。それにより、ノック部材９が常時後方に付勢され、ペン先突出状態においても、ノック部材９のクリップ基部９２（突出部）が、スライド孔から後方に外れ、クリップ基部９２（突出部）が、軸筒２後端より後方に位置される。それにより、ペン先突出状態及びペン先没入状態のいずれの状態でも、ノック部材９を回転でき、摩擦操作を迅速に開始できる。
【０１３１】
従来の熱変色性のノック式筆記具は、軸筒後端のノック部材を前方に押圧するタイプにおいて、ノック部材の後端に摩擦部を設けた場合、摩擦部を用いて摩擦操作すると、ノック部材がペン作側に移動し、安定した摩擦操作をできないおそれがあった（例えば、国際公開ＷＯ２００８／１０５２２７Ａ１）。それに対し、本実施の形態は、ノック部材後端の摩擦部を用いて安定した摩擦操作が可能となる熱変色性のノック式筆記具を提供できる。
【０１３２】
本発明の実施の形態、実施の態様を説明したが、開示内容は構成の細部において変化してもよく、実施の形態、実施の態様における要素の組合せや順序の変化等は請求された本発明の範囲および思想を逸脱することなく実現し得るものである。
【符号の説明】
【０１３３】
１  ノック式筆記具
２  軸筒
３  筆記体
３１  ペン先
３２  インキ収容管
３３  尾栓
３４  インキ
３５  追従体
４  前軸
４１  前端孔
４２  弾発体保持部
４２ａ  保持壁部
４２ｂ  係止段部
５  中間軸
５１  グリップ部
６  後軸
６１  カム歯
６２  カム溝
６２ａ  カムガイド溝
６３  係止壁部
６４  スライド孔
６４ａ  前側孔
６４ｂ  後側孔
６５  ガイド溝
６６  スライド溝
６７  窪み部
７  回転部材
７１  環状鍔部
７２  大径筒部
７３  小径筒部
７４  段部
７５  突条
７６  カム斜面
７７  弾発体係止部
８  カム部材
８１  前部
８１ａ  当接段部
８１ｂ  弾発体係止部
８２  後部（挿入部）
８３  カム突起
８４  係合突起
８５  凸部
８６  第１の外向突起
８７  第２の外向突起
８８  凹部
８９  筒状部
８９ａ  凹部
８９ｂ  第１の内向突起
８９ｃ  第２の内向突起
８９ｄ  凸部
９  ノック部材
９１  クリップ
９１ａ  玉部
９２  クリップ基部
９２ａ  第１の連結壁部
９２ｂ  第２の連結壁部
９３  筒状部（本体部）
９３ａ  ガイド突起
９３ｂ  凹部
９３ｃ  第１の内向突起
９３ｄ  第２の内向突起
９３ｅ  凸部
９４  軸部
９５  挿入部
９５ａ  凸部
９５ｂ  第１の外向突起
９５ｃ  第２の外向突起
９５ｄ  凹部
９６  当接段部
９７  棒状突部
１０  弾発体
１１  ノック部材用弾発体
１２  摩擦部
【図１】
2017104468.tif 000003
【図２】
2017104468.tif 000004
【図３】
2017104468.tif 000005
【図４】
2017104468.tif 000006
【図５】
2017104468.tif 000007
【図６】
2017104468.tif 000008
【図７】
2017104468.tif 000009
【図８】
2017104468.tif 000010
【図９】
2017104468.tif 000011
【図１０】
2017104468.tif 000012
【図１１】
2017104468.tif 000013
【図１２】
2017104468.tif 000014
【図１３】
2017104468.tif 000015
【図１４】
2017104468.tif 000016
【図１５】
2017104468.tif 000017
【図１６】
2017104468.tif 000018
【図１７】
2017104468.tif 000019
【図１８】
2017104468.tif 000020
【図１９】
2017104468.tif 000021
【図２０】
2017104468.tif 000022
【図２１】
2017104468.tif 000023
【図２２】
2017104468.tif 000024
【図２３】
2017104468.tif 000025
【図２４】
2017104468.tif 000026
【図２５】
2017104468.tif 000027
【図２６】
2017104468.tif 000028
【図２７】
2017104468.tif 000029
【図２８】
2017104468.tif 000030
【図２９】
2017104468.tif 000031
【図３０】
2017104468.tif 000032
【図３１】
2017104468.tif 000033
【図３２】
2017104468.tif 000034
【図３３】
2017104468.tif 000035
【国際調査報告】
2017104468.tif 000036
2017104468.tif 000037
2017104468.tif 000038
2017104468.tif 000039